(57)【要約】【課題】良好な光学特性の液晶光学装置、液晶光学装置の制御装置、及び、画像表示装置を提供する。【解決手段】実施形態によれば、光学部と、制御部と、を含む液晶光学装置が提供される。制御部は、入力される画像情報、及び、取得した制御信号の少なくともいずれかに基づいて、第１モード及び第２モードを実施する。第１モードは、第１レンズを形成し、第２レンズを形成する。第２モードは、第３レンズを形成し、第４レンズを形成する。第１レンズを形成するときの電位差の絶対値は、第３レンズを形成するときの電位差の絶対値とは異なる。【選択図】図１
2016057584.tif 000002
【特許請求の範囲】
【請求項１】
第１領域と第２領域とを含む第１面を有する第１基板と、
前記第１基板と対向する第２基板と、
前記第１基板と前記第２基板との間に設けられ前記第１面に対して並行な第１方向に並ぶ複数の第１電極であって、前記第１面に投影したときに前記第１領域と重なる第１グループと、前記第１面に投影したときに前記第２領域と重なる第２グループと、を含む複数の第１電極と、
前記複数の第１電極と前記第２基板との間に設けられ前記第１面に投影したときに前記第１領域と重なる第１対向電極と、
前記複数の第１電極と前記第２基板との間に設けられ前記第１面に投影したときに前記第２領域と重なり、前記第１面に対して平行で前記第１方向と交差する第２方向において前記第１対向電極と離間する第２対向電極と、
前記複数の第１電極と前記第１対向電極との間、及び、前記複数の第１電極と前記第２対向電極との間に設けられた液晶層と、
を含む光学部と、
前記複数の第１電極、前記第１対向電極、前記第２対向電極に印加する電圧を制御する制御部と、
を備え、
前記制御部は、表示すべき画像が、３Ｄ領域と２Ｄ領域とを含む画像を表示することを示す場合に、複数の表示モードのうち、前記光学部と積層される表示装置に入力される画像情報、及び、取得した制御信号の少なくともいずれかに基づいて選択される前記表示モードに従った電圧を印加し、
前記複数の表示モードは、第１モードと第２モードとを含み、
前記第１モードは、
前記第１グループと前記第１対向電極との間に第１の電位差を形成して前記液晶層に第１レンズを形成し、
前記第２グループと前記第２対向電極との間に第２の電位差を形成して前記液晶層に第２レンズを形成することを含み、
前記第１レンズにおける前記液晶層の屈折率の最大値と最小値との差は、前記第２レンズにおける前記液晶層の屈折率の最大値と最小値との差よりも大きく、
前記第２モードは、
前記第１グループと前記第１対向電極との間に第３絶対値の電位差を形成して前記液晶層に第３レンズを形成し、
前記第２グループと前記第２対向電極との間に第４絶対値の電位差を形成して前記液晶層に第４レンズを形成することを含み、
前記第３レンズにおける前記液晶層の屈折率の最大値と最小値との差は、前記第４レンズにおける前記液晶層の屈折率の最大値と最小値との差よりも大きく、
前記第１絶対値は、前記第３絶対値とは異なる液晶光学装置。
【請求項２】
前記第１レンズにおける前記液晶層の前記屈折率の前記最大値と前記最小値との前記差は、前記第３レンズにおける前記液晶層の前記屈折率の前記最大値と前記最小値との前記差よりも大きい請求項１記載の液晶光学装置。
【請求項３】
前記液晶層に含まれる液晶の誘電異方性は正であり、
前記第１絶対値は、前記第２絶対値よりも大きく、
前記第３絶対値は、前記第４絶対値よりも大きく、
前記第１絶対値は、前記第３絶対値よりも大きい請求項１または２に記載の液晶光学装置。
【請求項４】
前記画像表示部は、複数の視差情報を含む第１画像光を出射する第１表示領域と、視差情報を含まない第２画像光を出射する第２表示領域と、を含む画面を有し、
前記第１表示領域の少なくとも一部は、前記第１面に投影したときに前記第１領域と重なり、
前記第２表示領域の少なくとも一部は、前記第１面に投影したときに前記第２領域と重なる請求項１〜３のいずれか１つに記載の液晶光学装置。
【請求項５】
前記画面は、第１辺と、前記第１辺と離間する第２辺と、前記第１辺及び前記第２辺と交差する第３辺と、前記第３辺と離間し前記第１辺及び前記第２辺と交差する第４辺と、を有し、
前記第１表示領域の第１部分は、前記第２表示領域と前記第１辺との間に配置され、
前記第１表示領域の第２部分は、前記第２表示領域と前記第３辺との間に配置される請求項４記載の液晶光学装置。
【請求項６】
前記画面は、第１辺と、前記第１辺と離間する第２辺と、前記第１辺及び前記第２辺と交差する第３辺と、前記第３辺と離間し前記第１辺及び前記第２辺と交差する第４辺と、を有し、
前記第２表示領域の第１部分は、前記第１表示領域と前記第１辺との間に配置され、
前記第２表示領域の第２部分は、前記第１表示領域と前記第３辺との間に配置される請求項４記載の液晶光学装置。
【請求項７】
前記画面は、第１辺と、前記第１辺と離間する第２辺と、を有し、
前記第１表示領域が前記第１辺及び前記第２辺と接するとき、または、前記第２表示領域が前記第１辺及び前記第２辺と接するときは、前記制御部は、前記第１モードを実施する請求項４記載の液晶光学装置。
【請求項８】
前記制御部は、前記第１表示領域の第１面積の前記第２表示領域の第２面積に対する比が第１面積しきい値よりも高いときに前記第１モードを実施し、
前記制御部は、前記比が前記第１面積しきい値以下のときに前記第２モードを実施する請求項４〜６のいずれか１つに記載の液晶光学装置。
【請求項９】
前記制御部は、前記第１表示領域が前記画面の中心と重なるときに前記第１モードを実施し、
前記制御部は、前記第２表示領域が前記中心と重なるときに前記第２モードを実施する請求項４〜６のいずれか１つに記載の液晶光学装置。
【請求項１０】
前記制御部は、前記第１表示領域に表示される第１コンテンツが、前記第２表示領域に表示される第２コンテンツの上に配置されるときに前記第１モードを実施し、
前記制御部は、前記第２コンテンツが前記第１コンテンツの上に配置されるときに前記第２モードを実施する請求項４〜６のいずれか１つに記載の液晶光学装置。
【請求項１１】
前記制御部は、前記３Ｄ領域の面積及び位置を含む特性値に応じた評価値と、前記第１モードの重みと、前記第２モードの重みと、に応じた評価値を算出し、前記評価値と予め定められたしきい値と、の比較結果に応じて、前記複数の表示モードを選択する請求項１〜１０のいずれか１つに記載の液晶光学装置。
【請求項１２】
前記制御部は、第３モードをさらに実施し、
前記第３モードは、
前記第１グループと前記第１対向電極との間に第５絶対値の電位差を形成して第５レンズを形成し、
前記第２グループと前記第２対向電極との間に前記第５絶対値とは異なる第６絶対値の電位差を形成して第６レンズを形成することを含み、
前記第５レンズにおける屈折率の最大値と最小値との差は、前記第６レンズにおける屈折率の最大値と最小値との差よりも大きく、
前記第５絶対値は、前記第１絶対値と前記第３絶対値との間である請求項１〜６のいずれか１つに記載の液晶光学装置。
【請求項１３】
前記制御部は、前記第１表示領域の第１面積の前記第２表示領域の第２面積に対する比が第１面積しきい値よりも高いときに前記第１モードを実施し、
前記制御部は、前記比が前記第１面積しきい値以下で、前記比が前記第１面積しきい値よりも低い第２しきい値よりも高いときに前記第３モードを実施し、
前記制御部は、前記比が前記第２面積しきい値以下のときに前記第２モードを実施する請求項１２記載の液晶光学装置。
【請求項１４】
前記第３モードは、
前記第１グループを第３電極高電位に設定し、
前記第１対向電極を第３対向低電位に設定し、
前記第２グループを第３電極低電位に設定し、
前記第２対向電極を第３対向高電位に設定することを含み、
前記制御部は、前記第３電極高電位、前記第３対向低電位、前記第３電極低電位及び前記第３対向高電位を生成する電位生成部を含む請求項１１または１２に記載の液晶光学装置。
【請求項１５】
前記第１モードは、
前記第１グループを第１電極高電位に設定し、
前記第１対向電極を第１対向低電位に設定し、
前記第２グループを第１電極低電位に設定し、
前記第２対向電極を第１対向高電位に設定することを含み、
前記第２モードは、
前記第１グループを第２電極高電位に設定し、
前記第１対向電極を第２対向低電位に設定し、
前記第２グループを第２電極低電位に設定し、
前記第２対向電極を第２対向高電位に設定することを含み、
前記制御部は、前記第１電極高電位、前記第１対向低電位、前記第１電極低電位、前記第１対向高電位、前記第２電極高電位、前記第２対向低電位、前記第２電極低電位、前記第２対向高電位を生成する電位生成部を含む請求項１〜１２のいずれか１つに記載の液晶光学装置。
【請求項１６】
前記制御部は、前記制御信号に基づいて、前記第１モードまたは前記第２モードを実施する請求項１〜１５のいずれか１つに記載の液晶光学装置。
【請求項１７】
前記制御信号は、観視者の視線方向に関する情報を含み、
前記制御部は、前記視線方向に基づいて、前記第１モードまたは前記第２モードを実施する請求項１〜１５のいずれか１つに記載の液晶光学装置。
【請求項１８】
前記制御部は、前記画像情報に含まれる文字情報の量、及び、前記画像情報に含まれる３次元表示情報の量の少なくともいずれかに応じた評価値を算出し、
前記制御部は、前記評価値に基づいて、前記第１モードまたは前記第２モードを実施する請求項１〜１５のいずれか１つに記載の液晶光学装置。
【請求項１９】
前記第１基板部は、前記第１基板と前記液晶層との間に設けられた複数の第２電極をさらに含み、
前記複数の第２電極のそれぞれは、前記複数の第１電極のそれぞれの間に配置され、
前記制御部は、前記第１モードにおいて、前記複数の第２電極の少なくともいずれかと前記第１対向電極との間の電位差の絶対値を前記第１絶対値よりも小さくする請求項１〜１８のいずれか１つに記載の液晶光学装置。
【請求項２０】
請求項１〜１９のいずれか１つに記載の液晶光学装置と、
前記画像表示部と、
を備えた画像表示装置。
【請求項２１】
液晶光学装置を制御する制御装置であって、
前記液晶光学装置は、
第１領域と第２領域とを含む第１面を有する第１基板と、
前記第１基板と対向する第２基板と、
前記第１基板と前記第２基板との間に設けられ前記第１面に対して並行な第１方向に並ぶ複数の第１電極であって、前記第１面に投影したときに前記第１領域と重なる第１グループと、前記第１面に投影したときに前記第２領域と重なる第２グループと、を含む複数の第１電極と、
前記複数の第１電極と前記第２基板との間に設けられ前記第１面に投影したときに前記第１領域と重なる第１対向電極と、
前記複数の第１電極と前記第２基板との間に設けられ前記第１面に投影したときに前記第２領域と重なり、前記第１面に対して平行で前記第１方向と交差する第２方向において前記第１対向電極と離間する第２対向電極と、
前記複数の第１電極と前記第１対向電極との間、及び、前記複数の第１電極と前記第２対向電極との間に設けられた液晶層と、
を含む光学部と、
を含み、
前記複数の第１電極、前記第１対向電極、前記第２対向電極に印加する電圧を制御し、  表示すべき画像が、３Ｄ領域と２Ｄ領域とを含む画像を表示することを示す場合に、複数の表示モードのうち、前記光学部と積層される表示装置に入力される画像情報、及び、取得した制御信号の少なくともいずれかに基づいて選択される前記表示モードに従った電圧を印加し、
前記複数の表示モードは、第１モードと第２モードとを含み、
前記第１モードは、
前記第１グループと前記第１対向電極との間に第１の電位差を形成して前記液晶層に第１レンズを形成し、
前記第２グループと前記第２対向電極との間に第２の電位差を形成して前記液晶層に第２レンズを形成することを含み、
前記第１レンズにおける前記液晶層の屈折率の最大値と最小値との差は、前記第２レンズにおける前記液晶層の屈折率の最大値と最小値との差よりも大きく、
前記第２モードは、
前記第１グループと前記第１対向電極との間に第３絶対値の電位差を形成して前記液晶層に第３レンズを形成し、
前記第２グループと前記第２対向電極との間に第４絶対値の電位差を形成して前記液晶層に第４レンズを形成することを含み、
前記第３レンズにおける前記層の屈折率の最大値と最小値との差は、前記第４レンズにおける前記液晶層の屈折率の最大値と最小値との差よりも大きく、
前記第１絶対値は、前記第３絶対値とは異なる制御装置。
【発明の詳細な説明】
【技術分野】
【０００１】
本発明の実施形態は、液晶光学装置、液晶光学装置の制御装置、及び、画像表示装置に関する。
【背景技術】
【０００２】
液晶の複屈折性を利用し、印加される電圧に応じて屈折率の分布を変化させる液晶光学装置がある。液晶光学装置においては、光学特性が制御装置により制御される。液晶光学装置と、画像表示部と、を組み合わせた画像表示装置がある。画像表示部は、２次元画像、または、複数の視差を含む３次元画像を表示する。液晶光学装置の屈折率の分布を変化させることで、２次元表示と、裸眼での立体視の３次元表示と、が行われる。高表示品位の画像表示装置が望まれる。良好な光学特性の液晶光学装置が望まれる。
【先行技術文献】
【特許文献】
【０００３】
【特許文献１】国際公開第ＷＯ２０１３／０３８５５７Ａ１号パンフレット
【発明の概要】
【発明が解決しようとする課題】
【０００４】
本発明の実施形態は、良好な光学特性の液晶光学装置、液晶光学装置の制御装置、及び、画像表示装置を提供する。
【課題を解決するための手段】
【０００５】
本発明の実施形態によれば、光学部と、制御部と、を含む液晶光学装置が提供される。前記光学部は、第１領域と第２領域とを含む第１面を有する第１基板と、前記第１基板と対向する第２基板と、前記第１基板と前記第２基板との間に設けられ前記第１面に対して並行な第１方向に並ぶ複数の第１電極であって、前記第１面に投影したときに前記第１領域と重なる第１グループと、前記第１面に投影したときに前記第２領域と重なる第２グループと、を含む複数の第１電極と、前記複数の第１電極と前記第２基板との間に設けられ前記第１面に投影したときに前記第１領域と重なる第１対向電極と、前記複数の第１電極と前記第２基板との間に設けられ前記第１面に投影したときに前記第２領域と重なり、前記第１面に対して平行で前記第１方向と交差する第２方向において前記第１対向電極と離間する第２対向電極と、前記複数の第１電極と前記第１対向電極との間、及び、前記複数の第１電極と前記第２対向電極との間に設けられた液晶層と、を含む。前記制御部は、前記複数の第１電極、前記第１対向電極、前記第２対向電極に印加する電圧を制御する。前記制御部は、表示すべき画像が、３Ｄ領域と２Ｄ領域とを含む画像を表示することを示す場合に、複数の表示モードのうち、前記光学部と積層される表示装置に入力される画像情報、及び、取得した制御信号の少なくともいずれかに基づいて選択される前記表示モードに従った電圧を印加する。前記複数の表示モードは、第１モードと第２モードとを含む。前記第１モードは、前記第１グループと前記第１対向電極との間に第１の電位差を形成して前記液晶層に第１レンズを形成し、前記第２グループと前記第２対向電極との間に第２の電位差を形成して前記液晶層に第２レンズを形成することを含む。前記第１レンズにおける前記液晶層の屈折率の最大値と最小値との差は、前記第２レンズにおける前記液晶層の屈折率の最大値と最小値との差よりも大きい。前記第２モードは、前記第１グループと前記第１対向電極との間に第３絶対値の電位差を形成して前記液晶層に第３レンズを形成し、前記第２グループと前記第２対向電極との間に第４絶対値の電位差を形成して前記液晶層に第４レンズを形成することを含む。前記第３レンズにおける前記液晶層の屈折率の最大値と最小値との差は、前記第４レンズにおける前記液晶層の屈折率の最大値と最小値との差よりも大きい。前記第１絶対値は、前記第３絶対値とは異なる。
【図面の簡単な説明】
【０００６】
【図１】第１の実施形態に係る画像表示装置を示す模式図である。
【図２】第１の実施形態に係る画像表示装置を示す模式的斜視図である。
【図３】第１の実施形態に係る画像表示装置を示す模式的断面図である。
【図４】第１の実施形態に係る液晶光学装置の動作を示す模式的断面図である。
【図５】第１の実施形態に係る液晶光学装置を示す模式的平面図である。
【図６】第１の実施形態に係る液晶光学装置の動作を示す模式的断面図である。
【図７】第１の実施形態に係る液晶光学装置の条件を示す図である。
【図８】第１の実施形態に係る液晶光学装置の特性を示す模式的断面図である。
【図９】第１の実施形態に係る液晶光学装置の特性を示す模式的断面図である。
【図１０】第１の実施形態に係る液晶光学装置の動作を示す模式的平面図である。
【図１１】第１の実施形態に係る液晶光学装置の動作を示す模式的平面図である。
【図１２】第１の実施形態に係る液晶光学装置の動作を示す模式的平面図である。
【図１３】第１の実施形態に係る画像表示装置の動作を示す模式的平面図である。
【図１４】図１４（ａ）及び図１４（ｂ）は、第１の実施形態に係る画像表示装置の動作を示す模式的平面図である。
【図１５】第１の実施形態に係る画像表示装置の動作を示す模式的平面図である。
【図１６】第１の実施形態に係る別の画像表示装置作を示す模式的断面図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
図１は、第１の実施形態に係る画像表示装置を例示する模式図である。  
画像表示装置５１０は、液晶光学装置１１０と、画像表示部４００と、を含む。液晶光学装置１１０は、光学部１０５と、制御部１５０（制御装置）と、を含む。画像表示部４００は、光学部１０５と積層される。画像表示部４００は、例えば、画像表示駆動部４５０を含む。
【０００９】
本願明細書において、積層される状態は、直接接して重ねられる状態の他に、間に間隔を設けて重ねられる状態、及び、間に他の要素が挿入された状態で重ねられる状態を含む。
【００１０】
制御部１５０は、入力部１５２と、処理部１５１と、回路部１０６と、電源部１５３と、を含む。
【００１１】
入力部１５２には、例えば、画像情報Ｉｄ（画像信号）が入力される。画像情報Ｉｄは、画像表示駆動部４５０に供給される。画像表示部４００は、画像情報Ｉｄに基づいて表示を行う。入力部１５２には、さらに、制御信号Ｓｃが入力されても良い。制御信号Ｓｃは、例えば、ユーザ（観視者）の操作による信号である。
【００１２】
画像情報Ｉｄは、処理部１５１に供給される。処理部１５１は、画像情報Ｉｄに基づいて処理を行う。処理部１５１の処理結果に基づいて、回路部１０６が動作する。
【００１３】
回路部１０６は、例えば、電圧生成部１０３と、スイッチ回路１０３ｓと、第１回路部１０７ａと、第２回路部１０７ｂと、を含む。電圧生成部１０３は、例えば、電源部１５３から供給される電圧（電力）から、複数の電位を生成する。この例では、電圧生成部１０３は、第１〜第４電圧生成部１０３ａ〜１０３ｄを含む。
【００１４】
第１電圧生成部１０３ａは、例えば、第１電極高電位Ｖｅｈ１、第１電極低電位Ｖｅｌ１、第１対向高電位Ｖｃｈ１及び第１対向低電位Ｖｃｌ１を生成する。
【００１５】
第２電圧生成部１０３ｂは、例えば、第２電極高電位Ｖｅｈ２、第２電極低電位Ｖｅｌ２、第２対向高電位Ｖｃｈ２及び第２対向低電位Ｖｃｌ２を生成する。
【００１６】
第３電圧生成部１０３ｃは、例えば、第３電極高電位Ｖｅｈ３、第４電極低電位Ｖｅｌ３、第３対向高電位Ｖｃｈ３及び第３対向低電位Ｖｃｌ３を生成する。
【００１７】
第４電圧生成部１０３ｄは、例えば、第４電極高電位Ｖｅｈ４、第４電極低電位Ｖｅｌ４、第４対向高電位Ｖｃｈ４及び第１対向低電位Ｖｃｌ４を生成する。第４電極高電位Ｖｅｈ４、第４電極低電位Ｖｅｌ４、第４対向高電位Ｖｃｈ４及び第１対向低電位Ｖｃｌ４は、０ボルト（Ｖ）でも良い。
【００１８】
スイッチ回路１０３ｓは、これらの電位を切り替えて、第１回路部１０７ａ及び第２回路部１０７ｂに供給する。第１回路部１０７ａは、高電圧Ｖｅｈ及び低電圧Ｖｅｌを、光学部１０５に供給する。第２回路部１０７ｂは、高コモン電圧Ｖｃｈ及び低コモン電圧Ｖｃｌを光学部１０５に供給する。後述するように、これらの電圧に応じて、光学部１０５の光制御領域１０５ｄにおいて、屈折率の分布が変化する。
【００１９】
処理部１５１は、情報取得部１５１ａ、領域判定部１５１ｂ、フラグ付与部１５１ｃ、評価値算出部１５１ｄ及び電圧決定部１５１ｅと、を含む。情報取得部１５１ａは、画像情報Ｉｄ（表示コンテンツの情報）を取得する。領域判定部１５１ｂは、表示領域中の３次元（３Ｄ）の画像を表示する領域を判定する。例えば、画像表示部４００の画面４００ｄ中に、２次元（２Ｄ）の画像を表示する領域（２Ｄ領域）と、３次元の画像を表示する領域（３Ｄ領域）と、が設けられる。領域判定部１５１ｂは、これらの領域を判定する。フラグ付与部１５１ｃは、光制御領域１０ｄの行方向及び列方向のそれぞれにフラグビットを付与する。後述する。評価値算出部１５１ｄは、表示コンテンツに基づいて、２Ｄ領域と３Ｄ領域とに関して、評価値（重み）を算出する。電圧決定部１５１ｅは、評価値に基づいて、電圧生成部１０３で生成された種々の電位の組み合わせから、適切な組み合わせを決定する。電圧決定部１５１ｅの決定に応じて、スイッチ回路１０３ｓは、電位を切り替える。
【００２０】
情報取得部１５１ａ、領域判定部１５１ｂ、フラグ付与部１５１ｃ、評価値算出部１５１ｄ及び電圧決定部１５１ｅは、機能ブロックであり、処理部１５１で実施される処理に対応する。これらの処理の少なくとも一部は、同時に実施されても良く、異なる時間に実施されても良い。処理部１５１には、例えば、半導体集積回路などが用いられる。
【００２１】
図２は、第１の実施形態に係る液晶光学装置を例示する模式的斜視図である。  
図２に示すように、光学部１０５は、第１基板部１０ｕと、第２基板部２０ｕと、液晶層３０と、を含む。
【００２２】
第１基板部１０ｕは、第１基板１０ｓと、複数の第１電極１１と、を含む。
【００２３】
第１基板１０ｓは、光透過性である。第１基板１０ｓは、第１面１０ａを有する。第１面１０ａは、例えば、第１領域Ｒ１と第２領域Ｒ２とを含む。
【００２４】
複数の第１電極１１は、第１方向Ｄ１に並ぶ。第１方向Ｄ１は、第１面１０ａに対して平行な１つの方向である。
【００２５】
第１面１０ａに対して垂直な方向をＺ軸方向とする。Ｚ軸方向に対して垂直な１つの方向をＸ軸方向とする。Ｚ軸方向に対して垂直でＸ軸方向に対して垂直な方向をＹ軸方向とする。第１方向Ｄ１は、例えばＸ軸方向である。
【００２６】
例えば、複数の第１電極１１のそれぞれは、第１直交方向Ｄａ１に沿って延在する。第１直交方向Ｄａ１は、例えばＹ軸方向である。
【００２７】
複数の第１電極１１は、第１グループＧ１と、第２グループＧ２と、を含む。第１グループＧ１の一部は、第１面１０ａに投影したときに第１領域Ｒ１と重なる。第２グループＧ２の一部は、第１面１０ａに投影したときに第２領域Ｒ２と重なる。
【００２８】
第２基板部２０ｕは、第２基板２０ｓと、対向電極２１と、を含む。対向電極２１は、第１対向電極２１ａと、第２対向電極２１ｂと、を含む。
【００２９】
第２基板２０ｓは、光透過性である。複数の第１電極１１は、第１基板１０ｓと第２基板２０ｓとの間に配置される。
【００３０】
第１対向電極２１ａは、第１基板部１０ｕと第２基板２０ｓとの間に設けられる。第１対向電極２１ａの一部は、第１面１０ａに投影したときに第１領域Ｒ１と重なる。
【００３１】
第２対向電極２１ｂは、第１基板部１０ｕと第２基板２０ｓとの間に設けられる。第２対向電極２１ｂの一部は、第１面１０ａに投影したときに第２領域Ｒ２と重なる。第２対向電極２１ｂは、第２方向Ｄ２において第１対向電極２１ａと離間する。第２方向Ｄ２は、第１面１０ａに対して平行であり、第１方向Ｄ１と交差する。
【００３２】
このように、複数の対向電極２１が設けられる。複数の対向電極２１は、第２方向Ｄ２に並ぶ。複数の対向電極２１のそれぞれは、第２直交方向Ｄａ２に沿って延在する。第２直交方向Ｄａ２は、第２方向Ｄ２に対して垂直である。第２方向Ｄ２は、第１方向Ｄ１に対して垂直でも良く、傾斜しても良い。
【００３３】
液晶層３０は、第１基板部１０ｕと第２基板部２０ｕとの間に設けられる。液晶層３０は、第１液晶領域３０ａと、第２液晶領域３０ｂと、を含む。第１液晶領域３０ａは、第１面１０ａに投影したときに第１領域Ｒ１と重なる。第２液晶領域３０ｂは、第１面１０ａに投影したときに第２領域Ｒ２と重なる。
【００３４】
液晶層３０は、液晶３１を含む、液晶３１には、例えばネマティック液晶が用いられる。第１面１０ａに投影したときに、液晶３１の長軸（ダイレクタ）は、例えば、第１方向Ｄ１に平行な成分を有する。液晶３１の誘電異方性は正でも負でも良い。
【００３５】
制御部１５０は、複数の第１電極１１、第１対向電極２１ａ及び第２対向電極２１ａと電気的に接続される。
【００３６】
本願明細書において、電気的に接続されている状態は、複数の導体が直接接している状態を含む。電気的に接続されている状態は、複数の導体が、別の導体を介して接続されて、複数の導体の間に電流が流れる状態を含む。電気的に接続されている状態は、複数の導体が、スイッチ素子（例えばトランジスタなど）を介して接続されて、複数の導体の間に電流が流れる状態を形成可能な状態を含む。
【００３７】
第１基板１０ｓ及び第２基板２０ｓには、例えば透明なガラス基板または透明な樹脂基板が用いられる。
【００３８】
第１電極１１及び対向電極２１は、透明な導電膜を含む。これらの電極は、Ｉｎ、Ｓｎ、Ｚｎ及びＴｉよりなる群から選択された少なくともいずれかの元素を含む酸化物を含む。これらの電極の少なくとも一部には、例えば、酸化インジウム錫（ＩＴＯ）膜が用いられる。これらの電極のそれぞれに補助配線が設けられても良い。補助配線には、例えば金属が用いられ、低い抵抗が得られる。
【００３９】
図３は、第１の実施形態に係る液晶光学装置及び画像表示装置を例示する模式的断面図である。  
図３は、図２のＡ１−Ａ２線断面図である。  
図３に示すように、画像表示部４００は、画像光４００Ｌを出射する。画像表示部４００に、複数の画素４０１が設けられる。画素４０１のそれぞれから、画像情報Ｉｄに応じた光が出射する。出射した光が、画像光４００Ｌとなる。
【００４０】
液晶層３０の液晶３１の長軸と、第１面１０ａと、の間の角度をチルト角θとする。液晶層３０の液晶３１の誘電異方性が正の場合、液晶層３０の初期配向において、液晶３１の長軸と第１面１０ａとの間の角度（プレチルト角）は、小さい。プレチルト角は、０度以上３０度以下である。第１電極１１と対向電極２１との間に印加電圧（しきい値電圧超）が印加されると、第１電極１１と対向電極２１との間の領域の液晶３１においてチルト角θが大きくなる。複数の第１電極１１の間の領域と、対向電極２１と、の間の領域の液晶３１においては、チルト角θは、実質的にプレチルト角を維持する。液晶層３０において、液晶の配向に分布が形成される。すなわち、チルト角θが大きい領域と、小さい領域と、が形成される。
【００４１】
液晶３１は、複屈折を有している。液晶３１の短軸方向の屈折率ｎｏ（常光の屈折率）は、液晶３１の長軸方向の屈折率ｎｅ（異常光の屈折率）よりも低い。
【００４２】
液晶３１における液晶のチルト角θの分布に応じて、液晶層３０の実効的な屈折率が変化する。例えば、実効的な屈折率ｎ（θ）は、ｎｅ・ｎｏ／（ｎｅ２・ｓｉｎ２（θ）＋ｎｏ２・ｃｏｓ２（θ））１／２で表される。チルト角θが印加電圧に応じて変化することで、実効的な屈折率ｎ（θ）が変化する。電圧印加時のチルト角θは、液晶層３０のＺ軸方向に沿って変化するので、上記の式のＺ軸方向に沿った積分の値が、実効的な屈折率ｎに対応する。
【００４３】
液晶層３０の液晶３１の誘電異方性が負の場合、液晶層３０の初期配向において、プレチルト角は、大きく設定される。例えば、垂直配向が適用される。プレチルト角は、６００度以上９０度以下である。第１電極１１と対向電極２１との間に印加電圧が印加されると、第１電極１１と対向電極２１との間の領域の液晶３１においてチルト角θが小さくなる。このときも、チルト角θが大きい領域と、小さい領域と、が形成される。これにより、液晶層３０の実効的な屈折率が変化する。
【００４４】
以下では、説明を簡単にするために、液晶３１の誘電異方性が正の場合について説明する。以下の説明は、電圧（電位差）の絶対値の大きさを逆転させることで、誘電異方性が負の場合にも適用できる。
【００４５】
図４（ａ）及び（ｂ）は、第１の実施形態に係る液晶光学装置の動作を例示する模式的断面図である。  
図４（ａ）に示すように、第１電極１１に高電圧Ｖｅｈを印加し、対向電極２１に低コモン電圧Ｖｃｌを印加する。高電圧Ｖｅｈは、例えば３Ｖ以上であり、液晶３１のしきい値よりも高い。低コモン電圧Ｖｃｌは、例えば０Ｖである。１つの第１電極１１の位置（第１位置Ｐｘ１）及び別の第１電極１１の位置（第２位置Ｐｘ２）において、液晶３１のチルト角θが大きくなる。そして、これらの位置の中間（中心位置Ｐｘｃ）においては、チルト角θは小さい。これにより、実効的な屈折率ｎｅｆｆがＸ軸方向に沿って変化する。屈折率ｎｅｆｆの最大値と最小値との差Δｎｅｆｆは大きい。例えば、Ｘ軸方向と交差する方向に沿って延在するシリンドリカルレンズが形成される。すなわち、ＧＲＩＮ（Gradient Index）レンズが形成される。
【００４６】
図４（ｂ）に示すように、第１電極１１に低電圧Ｖｅｌを印加し、対向電極２１に低コモン電圧Ｖｃｌを印加する。低電圧Ｖｅｌ及び対向電極２１は、例えば、０Ｖである。液晶３１のチルト角θは、プレチルト角のままであり、初期配向が維持される。このとき、屈折率ｎｅｆｆは、均一である。
【００４７】
例えば、画像表示部４００から、複数の視差を含む画像光４００Ｌが出射する。このとき、図４（ａ）に例示したように、屈折率ｎｅｆｆを変化させる。これにより、画像光４００Ｌの進行方向が変更される。複数の視差に応じた画像光４００Ｌが、観視者の左右の目に入射する。観視者は、３次元の表示を知覚する。
【００４８】
例えば、画像表示部４００から、視差を含まない画像光４００Ｌが出射する。このとき、図４（ｂ）に例示したように、屈折率ｎｅｆｆを均一にする。画像光４００Ｌは、進行方向が実質的に変化せずに、観視者の左右の目に入射する。観視者は、２次元の表示を知覚する。
【００４９】
画像表示装置５１０においては、画面４００ｄの一部（３Ｄ領域）で、複数の視差を含む画像（３Ｄ画像）が表示され、画面４００ｄの別の一部（２Ｄ領域）で、視差を含まない画像（２Ｄ画像）が表示される。液晶光学装置１１０においては、これらの領域に対応させて、ＧＲＩＮレンズが形成される領域と、ＧＲＩＮレンズが実質的に形成されない領域と、が設けられる。
【００５０】
ＧＲＩＮレンズが形成される領域の少なくとも一部が第１領域Ｒ１に対応する。屈折率ｎｅｆｆの変化が小さい領域（ＧＲＩＮレンズが実質的に形成されない領域）の少なくとも一部が、第２領域Ｒ２に対応する。
【００５１】
図５は、第１の実施形態に係る液晶光学装置を例示する模式的平面図である。  
図５に表したように、第１グループＧ１と第１対向電極２１ａとが重なる領域（領域２０１ａ）が、第１領域Ｒ１に対応する。第２グループＧ２と第２対向電極２１ｂとが重なる領域（領域２０１ｄ）が、第２領域Ｒ２に対応する。
【００５２】
第１グループＧ１と第１対向電極２１ａとが重なる領域２０１ａは、３Ｄ画像が表示される領域に対応する。第２グループＧ２と第２対向電極２１ｂとが重なる領域２０１ｄは、２Ｄ画像が表示される領域に対応する。第１グループＧ１と第２対向電極２１ｂとが重なる領域２０１ｂは、２Ｄ画像が表示される領域に対応する。第２グループＧ２と第１対向電極２１ａとが重なる領域２０１ｃは、２Ｄ画像が表示される領域に対応する。
【００５３】
図６（ａ）〜（ｄ）は、第１の実施形態に係る液晶光学装置の動作を例示する模式的断面図である。  
図６（ａ）に例示するように、領域２０１ａにおいては、第１電極１１（第１グループＧ１）に高電圧Ｖｅｈを印加する。第１対向電極２１ａに低コモン電圧Ｖｃｌを印加する。液晶層３０に印加される電圧は高い。これにより、領域２０１ａにおいては、屈折率ｎｅｆｆが変化し、ＧＲＩＮレンズが形成される。
【００５４】
図６（ｂ）に例示したように、領域２０１ｂにおいては、第１電極１１（第１グループＧ１）に高電圧Ｖｅｈを印加する。第２対向電極２１ｂに高コモン電圧Ｖｃｈを印加する。高コモン電圧Ｖｃｈは、例えば、高電圧Ｖｅｈと低電圧Ｖｅｌとの間の電圧である。高コモン電圧Ｖｃｈは、（Ｖｅｈ＋Ｖｅｌ）／２とする。領域２０１ｂにおいては、液晶層３０に印加される電圧は小さく、屈折率ｎｅｆｆの変化は小さい。
【００５５】
図６（ｃ）に例示したように、領域２０１ｃにおいては、第１電極１１（第２グループＧ２）に低電圧Ｖｅｌを印加する。第１対向電極２１ａに低コモン電圧Ｖｃｌを印加する。領域２０１ｃにおいては、液晶層３０に印加される電圧は小さく、屈折率ｎｅｆｆの変化は小さい。
【００５６】
図６（ｄ）に例示したように、領域２０１ｄにおいては、第１電極１１（第２グループＧ２）に低電圧Ｖｅｌを印加する。第２対向電極２１ｂに高コモン電圧Ｖｃｈを印加する。領域２０１ｄにおいては、液晶層３０に印加される電圧は小さく、屈折率ｎｅｆｆの変化は小さい。
【００５７】
このように、３Ｄ画像に対応する、ＧＲＩＮレンズが形成される領域と、２Ｄ画像に対応する、屈折率ｎｅｆｆの変化が小さい領域と、が形成される。
【００５８】
第１グループＧ１、第２グループＧ２、第１対向電極２１ａ及び第２対向電極２１ｂとで形成される領域において、クロストークが生じる。これらの電極に供給される電圧により、クロストークと、屈折率ｎｅｆｆの最大値と最小値との差Δｎｅｆｆと、が変化する。
【００５９】
高電圧Ｖｅｈ、低電圧Ｖｅｌ、高コモン電圧Ｖｃｈ及び低コモン電圧Ｖｃｌを変えたときの、液晶層３０の特性の例について説明する。
【００６０】
図７は、第１の実施形態に係る液晶光学装置の条件を例示する図である。  
図７に示すように、第１条件Ｃｖ１においては、高電圧Ｖｅｈは、第１電極高電位Ｖｅｈ１に設定される。低電圧Ｖｅｌは、第１電極低電位Ｖｅｌ１に設定される。なお、高コモン電圧Ｖｃｈは、第１対向高電位Ｖｃｈ１に設定される。第１対向高電位Ｖｃｈ１は、例えば、（Ｖｅｈ１＋Ｖｅｌ１）／２である。低コモン電圧Ｖｃｌは、第１対向低電位Ｖｃｌ１（例えば０Ｖ）に設定される。第１電極高電位Ｖｅｈ１と第１電極低電位Ｖｅｌ１との差ΔＶｅ１は、大きく設定される。
【００６１】
第２条件Ｃｖ２においては、高電圧Ｖｅｈは、第２電極高電位Ｖｅｈ２に設定される。低電圧Ｖｅｌは、第２電極低電位Ｖｅｌ２に設定される。第２電極高電位Ｖｅｈ２は、第１電極高電位Ｖｅｈ１よりも低い。なお、高コモン電圧Ｖｃｈは、第２対向高電位Ｖｃｈ２に設定される。第２対向高電位Ｖｃｈ２は、例えば、（Ｖｅｈ２＋Ｖｅｌ２）／２である。低コモン電圧Ｖｃｌは、第２対向低電位Ｖｃｌ２（例えば０Ｖ）に設定される。第２電極高電位Ｖｅｈ２と第２電極低電位Ｖｅｌ２との差ΔＶｅ２は、小さい。差ΔＶｅ２は、差ΔＶｅ１よりも小さい。
【００６２】
第３条件Ｃｖ３においては、高電圧Ｖｅｈは、第３電極高電位Ｖｅｈ３に設定される。低電圧Ｖｅｌは、第３電極低電位Ｖｅｌ３に設定される。第３電極高電位Ｖｅｈ３は、第１電極高電位Ｖｅｈ１と第２電極高電位Ｖｅｈ２との間である。なお、高コモン電圧Ｖｃｈは、第３対向高電位Ｖｃｈ３に設定される。第３対向高電位Ｖｃｈ３は、例えば、（Ｖｅｈ３＋Ｖｅｌ３）／２である。低コモン電圧Ｖｃｌは、第３対向低電位Ｖｃｌ３（例えば０Ｖ）に設定される。第３電極高電位Ｖｅｈ３と第３電極低電位Ｖｅｌ３との差ΔＶｅ３は、中間である。差ΔＶｅ３は、差ΔＶｅ１と差ΔＶｅ２との間である。  
例えば、Ｖｅｈ１−Ｖｅｌ１≧Ｖｅｈ３−Ｖｅｌ３≧Ｖｅｈ２−Ｖｅｌ２
である。
【００６３】
図８（ａ）〜（ｃ）は、第１の実施形態に係る液晶光学装置の特性を例示する模式的断面図である。  
図８（ａ）〜（ｃ）は、第１〜第３条件Ｃｖ１〜Ｃｖ３のそれぞれに対応する。これらの図の横軸は、Ｘ軸方向の位置である。縦軸は、液晶層３０の実効的な屈折率ｎｅｆｆである。実線は、領域２０１ａの特性に対応する。破線は、領域２０１ｂの特性に対応する。これらの図は、シミュレーション結果を例示している。
【００６４】
図８（ａ）に示すように、第１条件Ｃｖ１においては、領域２０１ａにおいて、屈折率ｎｅｆｆが大きく変化する。屈折率ｎｅｆｆの最大値と最小値との差Δｎｅｆｆ１ａは大きい。一方、領域２０１ｂにおいては、屈折率ｎｅｆｆの最大値と最小値との差Δｎｅｆｆ１ｂは、差Δｎｅｆｆ１ａよりも小さい。領域２０１ｂにおいては、第１位置Ｐｘ１及び第２位置Ｐｘ２の近傍の領域（レンズ端領域）において、屈折率ｎｅｆｆが変化している。この変化は比較的大きい。第１条件Ｃｖ１においては、大きなレンズ効果が得られる。第１条件Ｃｖ１は、３Ｄ画像に適した条件である。
【００６５】
図８（ｃ）に示すように、第２条件Ｃｖ２においては、領域２０１ａにおいて、屈折率ｎｅｆｆの最大値と最小値との差Δｎｅｆｆ２ａは小さい。一方、領域２０１ｂにおいては、屈折率ｎｅｆｆの最大値と最小値との差Δｎｅｆｆ２ｂは、差Δｎｅｆｆ２ａよりも小さい。領域２０１ｂにおいては、レンズ端領域における屈折率ｎｅｆｆの変化が比較的小さい。第２条件Ｃｖ２は、２Ｄ画像に適した条件である。
【００６６】
図８（ｂ）に示すように、第３条件Ｃｖ３においては、領域２０１ａにおいて、屈折率ｎｅｆｆの最大値と最小値との差Δｎｅｆｆ３ａは中程度である。一方、領域２０１ｂにおいて、屈折率ｎｅｆｆの最大値と最小値との差Δｎｅｆｆ３ｂは、差Δｎｅｆｆ３ａよりも小さい。領域２０１ｂにおいては、レンズ端領域における屈折率ｎｅｆｆの変化は、中程度である。第３条件Ｃｖ３は、２Ｄ画像及び３Ｄ画像をバランスさせた中間的条件である。  
領域２０１ｃ及び領域２０１ｄの特性は、領域２０１ｂの特性に類似する。
【００６７】
図９は、第１の実施形態に係る液晶光学装置の特性を例示する模式的断面図である。  
図９に示すように、領域２０１ａにおいて、第１条件Ｃｖ１においては、差Δｎｅｆｆ１ａは、大きい。例えば、液晶層３０に形成される屈折率ｎｅｆｆの分布（第１大屈折率分布ｎｅｆｆ１ａ、すなわち、第１レンズ）により形成されるレンズの焦点の位置は、画像表示部４００の位置に実質的に対応する。これにより、例えば、３Ｄ画像が、観視者の左右の目に分離して到達する。第２条件Ｃｖ２においては、屈折率ｎｅｆｆの分布（第２大屈折率分布ｎｅｆｆ２ａ、すなわち、第３レンズ）の差Δｎｅｆｆ２ａが小さいため、焦点距離が長くなる。このため、３Ｄ画像の分離が不十分である。第３条件Ｃｖ３においては、屈折率ｎｅｆｆの分布（第３大屈折率分布ｎｅｆｆ３ａ、すなわち、第５レンズ）は、第１条件Ｃｖ１と第２条件Ｃｖ２との中間の特性となる。
【００６８】
一方、第１条件Ｃｖ１、第２条件Ｃｖ２及び第３条件Ｃｖ３のそれぞれにおいて、領域２０１ｂ、２０１ｃ及び２０１ｄにおいては、屈折率分布（第１小屈折率分布ｎｅｆｆ１ｂ、第２小屈折率分布ｎｅｆｆ２ｂ及び第３小屈折率分布ｎｅｆｆ３ｂ）における屈折率ｎｅｆｆの最大値と最小値との差Δｎｅｆｆ１ｂ、Δｎｅｆｆ２ｂ及びΔｎｅｆｆ３ｂは、小さい。第１条件Ｃｖ１において、レンズ端領域における屈折率ｎｅｆｆの変化が大きく、これにより、２Ｄ画像の表示が見難くなる。第２条件Ｃｖ２においては、レンズ端領域における屈折率ｎｅｆｆの変化が小さく、これにより、２Ｄ画像の表示が見易い。第３条件Ｃｖ３においては、第１条件Ｃｖ１と第２条件Ｃｖ２との中間の特性となる。第１小屈折率分布は、例えば、便宜的に第２レンズとしても良い。ただし、第１小屈折率分布は、屈折率が実質的に一定でも良い。第２小屈折率分布は、例えば、便宜的に第４レンズとしても良い。ただし、第２小屈折率分布は、屈折率が実質的に一定でも良い。第３小屈折率分布は、例えば、便宜的に第６レンズとしても良い。ただし、第３小屈折率分布は、屈折率が実質的に一定でも良い。
【００６９】
第１条件Ｃｖ１は、３Ｄ優先条件である。第２条件Ｃｖ２は、２Ｄ優先条件である。第３条件Ｃｖ３は、中間的条件である。
【００７０】
実施形態においては、画像情報Ｉｄ、及び、取得した制御信号Ｓｃ（例えば、観視者からの入力信号など）に基づいて、上記の第１条件Ｃｖ１と第２条件Ｃｖ２と、を切り替えて使用する。第３条件Ｃｖ３さらに切り替えて使用しても良い。
【００７１】
すなわち、制御部１５０は、画像情報Ｉｄ、及び、取得した制御信号Ｓｃの少なくともいずれかに基づいて、選択動作を実施する。選択動作は、以下の第１動作（第１モード）及び第２動作（第２モード）のいずれかを選択的に実施することを含む。
【００７２】
第１動作は、領域２０１ａ（第１液晶領域３０ａ）に屈折率分布（第１大屈折率分布ｎｅｆｆ１ａ）を形成し、領域２０１ｃ（第２液晶領域３０ｂ）に屈折率分布（第１小屈折率分布ｎｅｆｆ１ｂ）を形成することを含む。第１大屈折率分布ｎｅｆｆ１ａにおける第１液晶領域３０ａの屈折率の最大値と最小値との差Δｎｅｆｆ１ａは、第１小屈折率分布ｎｅｆｆ１ｂにおける第２液晶領域３０ｂの屈折率の最大値と最小値との差Δｎｅｆｆ１ｂよりも大きい。第１小屈折率分布ｎｅｆｆ１ｂにおいては、屈折率ｎｅｆｆは、実質的に変化しなくても良い。
【００７３】
第１大屈折率分布ｎｅｆｆ１ａは、第１グループＧ１と第１対向電極２１ａとの間に、第１絶対値の電位差を形成することで、形成される。
【００７４】
第１小屈折率分布ｎｅｆｆ１ｂは、第２グループＧ２と第２対向電極２１ｂとの間に、第２絶対値の電位差を形成することで、形成される。第２絶対値は、第１絶対値とは異なる。
【００７５】
例えば、第１動作は、第１グループＧ１を第１電極高電位Ｖｅｈ１に設定し、第１対向電極２１ａを第１対向低電位Ｖｃｌ１に設定し、第２グループＧ２を第１電極低電位Ｖｅｌ１に設定し、第２対向電極２１を第１対向高電位Ｖｃｈ１に設定することを含む。これらの電位の設定により、上記の第１絶対値の電位差及び第２絶対値の電位差が形成され、上記の屈折率分布が形成される。
【００７６】
第２動作は、領域２０１ａ（第１液晶領域３０ａ）に屈折率分布（第２大屈折率分布ｎｅｆｆ２ａ）を形成し、領域２０１ｃ（第２液晶領域３０ｂ）に屈折率分布（第２小屈折率分布ｎｅｆｆ２ｂ）を形成することを含む。第２大屈折率分布ｎｅｆｆ２ａにおける第１液晶領域３０ａの屈折率の最大値と最小値との差Δｎｅｆｆ２ａは、第２小屈折率分布ｎｅｆｆ２ｂにおける第２液晶領域３０ｂの屈折率の最大値と最小値との差Δｎｅｆｆ２ｂよりも大きい。第２小屈折率分布ｎｅｆｆ２ｂにおいては、屈折率ｎｅｆｆは、実質的に変化しなくても良い。
【００７７】
第２大屈折率分布ｎｅｆｆ２ａは、第１グループＧ１と第１対向電極２１ａとの間に第３絶対値の電位差を形成ることで、形成される。
【００７８】
第２小屈折率分布ｎｅｆｆ２ｂは、第２グループＧ２と第２対向電極２１ｂとの間に第４絶対値の電位差を形成することで、形成される。第４絶対値は、第３絶対値とは異なる。
【００７９】
例えば、第２動作は、第１グループＧ１を第２電極高電位Ｖｅｈ２に設定し、第１対向電極２１ａを第２対向低電位Ｖｃｌ２に設定し、第２グループＧ２を第２電極低電位Ｖｅｌ２に設定し、第２対向電極２１ｂを第２対向高電位Ｖｃｈ２に設定することを含む。これらの電位の設定により、上記の第３絶対値の電位差及び第４絶対値の電位差が形成され、上記の屈折率分布が形成される。
【００８０】
第１大屈折率分布ｎｅｆｆ１ａにおける第１液晶領域３０ａの屈折率の最大値と最小値との差Δｎｅｆｆ１ａは、第２大屈折率分布ｎｅｆｆ２ａにおける第１液晶領域３０ａの屈折率の最大値と最小値との差Δｎｅｆｆ２ａよりも大きい。
【００８１】
第１動作は、第１条件Ｃｖ１を用いる動作である。第２動作は、第２条件Ｃｖ２を用いる動作である。第１動作は、３Ｄ優先の条件による動作である。第２動作は、２Ｄ優先の条件による動作である。
【００８２】
実施形態においては、画像情報Ｉｄ、及び、取得した制御信号Ｓｃ（例えば、観視者からの入力信号など）に基づいて、第１動作及び第２動作のいずれかを選択的に実施する。例えば、画像情報Ｉｄが３Ｄ表示を重視した内容である場合に、３Ｄ優先の動作が実施される。例えば、画像情報Ｉｄが２Ｄ表示を重視した内容である場合に、２Ｄ優先の動作が実施される。
【００８３】
実施形態によれば、３Ｄ表示に適した動作と、２Ｄ表示に適した動作と、を切り替える。これにより、良好な光学特性の液晶光学装置、及び、高表示品位の画像表示装置が提供できる。
【００８４】
実施形態において、制御部１５０は、第３動作（第３モード）をさらに実施しても良い。第３動作は、例えば、第３条件Ｃｖ３を用いた動作である。
【００８５】
第３動作は、第１液晶領域３０ａに第３大屈折率分布ｎｅｆｆ３ａを形成し、第２液晶領域３０ｂに第３小屈折率分布ｎｅｆｆ３ｂを形成することを含む。第３大屈折率分布ｎｅｆｆ３ａにおける第１液晶領域３０ａの屈折率の最大値と最小値との差Δｎｅｆｆ３ａは、第３小屈折率分布ｎｅｆｆ３ｂにおける第２液晶領域３０ｂの屈折率の最大値と最小値との差Δｎｅｆｆ３ｂよりも大きい。
【００８６】
第３大屈折率分布ｎｅｆｆ３ａは、第１グループＧ１と第１対向電極２１ａとの間に第５絶対値の電位差を形成することで、形成される。
【００８７】
第３小屈折率分布ｎｅｆｆ３ｂは、第２グループＧ２と第２対向電極２１ｂとの間に第６絶対値の電位差を形成することで、形成される。第６絶対値は、第５絶対値とは異なる。第５絶対値は、第１絶対値と第３絶対値との間である。
【００８８】
例えば、第３動作は、第１グループＧ１を第３電極高電位Ｖｅｈ３に設定し、第１対向電極２１ａを第３対向低電位Ｖｃｌ３に設定し、第２グループＧ２を第３電極低電位Ｖｅｌ３に設定し、第２対向電極２１ｂを第３対向高電位Ｖｃｈ３に設定することを含む。
【００８９】
例えば、液晶層３０に含まれる液晶３１の誘電異方性が正である場合、以下である。第１絶対値は、第２絶対値よりも大きい。第３絶対値は、第４絶対値よりも大きい。第１絶対値は、第３絶対値よりも大きい。
【００９０】
例えば、液晶層３０に含まれる液晶３１の誘電異方性が負である場合、以下である。第１絶対値は、第２絶対値よりも小さい。第３絶対値は、第４絶対値よりも小さい。第１絶対値は、第３絶対値よりも小さい。
【００９１】
以下、液晶光学装置１１０における第１動作、第２動作及び第３動作の例を説明する。  図１０（ａ）〜（ｆ）は、第１の実施形態に係る画像表示装置の動作を例示する模式的平面図である。  
図１０（ａ）に示すように、画像表示部４００の画面４００ｄに、第１表示領域Ｑ１と、第２表示領域Ｑ２と、が設けられる。第１表示領域Ｑ１は、複数の視差を含む画像光４００Ｌ（第１画像光、３Ｄ画像）を出射する。第２表示領域Ｑ２は、視差を含まない画像光４００Ｌ（第２画像光、２Ｄ画像）を出射する。
【００９２】
第１表示領域Ｑ１の少なくとも一部は、第１面１０ａに投影したときに、第１領域Ｒ１と重なる。第２表示領域Ｑ２の少なくとも一部は、第１面１０ａに投影したときに、第２領域Ｒ２と重なる。
【００９３】
画面４００ｄは、第１〜第４辺ｓ１〜ｓ４を有する。第２辺ｓ２は、第１辺ｓ２と離間する。第３辺ｓ３は、第１辺ｓ１及び第２辺ｓ２と交差する。第４辺ｓ４は、第３辺ｓ３と離間し、第１辺ｓ１及び第２辺ｓ２と交差する。
【００９４】
図１０（ａ）〜（ｆ）の例においては、第２表示領域Ｑ２の一部（第１部分ｑ１）は、第１表示領域Ｑ１と第１辺ｓ１との間に配置されている。そして、第２表示領域Ｑ２の別の一部（第２部分ｑ２）は、第１表示領域Ｑ１と第３辺ｓ３との間に配置されている。
【００９５】
図１０（ｄ）〜（ｆ）の例においては、第２表示領域Ｑ２の一部（第３部分ｑ３）は、第１表示領域Ｑ１と第２辺ｓ２との間に配置されている。そして、第２表示領域Ｑ２の別の一部（第４部分ｑ４）は、第１表示領域Ｑ１と第４辺ｓ４との間に配置されている。
【００９６】
図１０（ａ）及び（ｄ）の例においては、第１表示領域Ｑ１の面積（第１面積）は、第２表示領域Ｑ２の面積（第２面積）よりも大きい。例えば、この条件のときには、第１動作（３Ｄ優先の動作）を実施する。
【００９７】
図１０（ｃ）及び図１０（ｆ）の例においては、第１表示領域Ｑ１の面積（第１面積）は、第２表示領域Ｑ２の面積（第２面積）よりも小さい。例えば、この条件のときには、第２動作（２Ｄ優先の動作）を実施する。
【００９８】
図１０（ｂ）及び図１０（ｅ）の例においては、第１表示領域Ｑ１の面積（第１面積）は、第２表示領域Ｑ２の面積（第２面積）と実質的に同じである。例えば、この条件のときには、第３動作（中間的動作）を実施する。
【００９９】
例えば、面積の比率について、しきい値（第１面積しきい値）が定められる。制御部１５０は、第１表示領域Ｑ１の第１面積の、第２表示領域Ｑ２の第２面積に対する比が、第１面積しきい値よりも高いときに第１動作を実施する。制御部１５０は、この比が第１面積しきい値以下のときに第２動作を実施する。
【０１００】
第３動作が必要に応じて実施しても良い。この場合には、面積の比率について、例えば、第２面積しきい値が定められる。第２面積しきい値は、第１面積しきい値よりも低い。制御部１５０は、第１表示領域Ｑ１の第１面積の、第２表示領域Ｑ２の第２面積に対する比が、第１面積しきい値よりも高いときに第１動作を実施する。そして、制御部は、この比が第１面積しきい値以下で、第２しきい値よりも高いときに第３動作を実施する。そして、制御部１５０は、この比が第２面積しきい値以下のときに第２動作を実施する。
【０１０１】
このように、制御部１５０は、３Ｄ画像の面積と２Ｄ画像の面積によって、動作を切り替えて実施する。
【０１０２】
図１１（ａ）〜（ｆ）は、第１の実施形態に係る画像表示装置の動作を例示する模式的平面図である。  
これらの場合も、画像表示部４００の画面４００ｄに、第１表示領域Ｑ１と、第２表示領域Ｑ２と、が設けられる。
【０１０３】
図１１（ａ）〜（ｆ）の例においては、第１表示領域Ｑ１の一部（第１部分ｒ１）は、第２表示領域Ｑ２と第１辺ｓ１との間に配置される。第１表示領域Ｑ１の別の一部（第２部分ｒ２）は、第２表示領域Ｑ２と第３辺ｓ３との間に配置される。
【０１０４】
図１１（ｄ）〜（ｆ）の例においては、第１表示領域Ｑ１の別の一部（第３部分ｒ３）は、第２表示領域Ｑ２と第２辺ｓ２との間に配置されている。第１表示領域Ｑ１の別の一部（第４部分ｒ４）は、第２表示領域Ｑ２と第４辺ｓ４との間に配置されている。
【０１０５】
図１１（ａ）及び（ｄ）の例においては、第１表示領域Ｑ１の第１面積は、第２表示領域Ｑ２の第２面積よりも大きい。例えば、この条件のときには、第１動作（３Ｄ優先の動作）を実施する。
【０１０６】
図１１（ｃ）及び（ｆ）の例においては、第１表示領域Ｑ１の第１面積は、第２表示領域Ｑ２の第２面積よりも小さい。例えば、この条件のときには、第２動作（２Ｄ優先の動作）を実施する。
【０１０７】
図１１（ｂ）及び（ｅ）の例においては、第１表示領域Ｑ１の第１面積は、第２表示領域Ｑ２の第２面積と実質的に同じである。例えば、この条件のときには、第３動作（中間的動作）を実施する。
【０１０８】
このときも、制御部１５０は、例えば、上記の第１面積しきい値を用いて、第１動作及び第２動作のいずれかを切り替えて実施する。さらに、第２面積しきい値を用いて、第３動作を実施しても良い。
【０１０９】
図１２（ａ）及び（ｂ）は、第１の実施形態に係る画像表示装置の動作を例示する模式的平面図である。  
図１２（ａ）の例においては、第１表示領域Ｑ１が、画面４００ｄの中心部に位置する。このときに、第１動作を実施する。
【０１１０】
一方、図１２（ｂ）の例においては、第２表示領域Ｑ２が、画面４００ｄの中心部に位置する。このときに第２動作を実施する。
【０１１１】
このように、制御部１５０は、第１表示領域Ｑ１が画面４００ｄの中心４００ｃと重なるときに第１動作を実施する。制御部１５０は、第２表示領域Ｑ２が画面４００ｄの中心４００ｃと重なるときに第２動作を実施する。このように、３Ｄ画像の画面４００ｄ内の位置と、２Ｄ画像の画面４００ｄ内の位置とに基づいて、動作を切り替えても良い。
【０１１２】
図１３（ａ）及び（ｂ）は、第１の実施形態に係る画像表示装置の動作を例示する模式的平面図である。  
これらの例においては、ウインドウ状の表示コンテンツが表示される。  
図１３（ａ）の例においては、第１表示領域Ｑ１に対応するウインドウが、第２表示領域Ｑ２に対応するウインドウの上（手前）に配置されている。このときに、第１動作を実施する。
【０１１３】
一方、図１３（ｂ）の例においては、第２表示領域Ｑ２に対応するウインドウが、第１表示領域Ｑ１に対応するウインドウの上（手前）に配置されている。このときに第２動作を実施する。
【０１１４】
このように、制御部１５０は、第１表示領域Ｑ１に表示される第１コンテンツＱｃ１が、第２表示領域Ｑ２に表示される第２コンテンツＱｃ２の上に配置されるときに第１動作を実施する。制御部１５０は、第２コンテンツＱｃ２が第１コンテンツＱｃ１の上に配置されるときに第２動作を実施する。このように、３Ｄ画像のウインドウと、２Ｄ画像のウインドウとの相対的な配置（上下関係）に基づいて、動作を切り替えても良い。
【０１１５】
図１４（ａ）及び（ｂ）は、第１の実施形態に係る画像表示装置の動作を例示する模式的平面図である。  
これらの例においては、例えば、ユーザ（観視者）から制御信号Ｓｃ（操作信号）が供給される。制御信号Ｓｃは、例えば、入力機器（マウス、キーボード、タッチパネル、または、○○など）の操作による信号である。これらの図の例では、ユーザによって操作される矢印４００ａが、画面４００ｄに表示される。
【０１１６】
図１４（ａ）の例においては、矢印４００ａは、第１表示領域Ｑ１上にある。ユーザが、入力機器を操作して、第１表示領域Ｑ１を選択した場合に、第１動作を実施する。
【０１１７】
図１４（ｂ）の例においては、矢印４００ａは、第２表示領域Ｑ２上にある。ユーザが、入力機器を操作して、第２表示領域Ｑ２を選択した場合に、第２動作を実施する。
【０１１８】
このように、制御部１５０は、制御信号Ｓｃに基づいて、第１動作及び第２動作のいずれかを選択的に実施しても良い。
【０１１９】
制御信号Ｓｃは、ユーザ（観視者）の視線の方向に関する情報を含んでも良い。例えば、観視者の像を撮像する撮像部が設けられる。観視者の像により、観視者が注視している画面４００ｄ内の位置が推定できる。注視している位置が３Ｄ画像に対応する場合に、第１動作を実施する。注視している位置が２Ｄ画像に対応する場合に、第２動作を実施する。
【０１２０】
このように、制御信号Ｓｃは、観視者の視線方向に関する情報を含んでも良い。このとき、制御部１５０は、視線方向に基づいて、第１動作及び第２動作のいずれかを選択的に実施しても良い。
【０１２１】
３Ｄ画像及び２Ｄ画像の面積、３Ｄ画像及び２Ｄ画像の画面４００ｄ内の位置、及び、コンテンツ（ウインドウ）の上下（前後）の配置の２つ以上に基づいて動作を選択しても良い。この場合には、評価値（重み計数）を算出して、評価値に基づいて第１動作及び第２動作のいずれかを実施しても良い。
【０１２２】
例えば、制御部１５０は、画像情報Ｉｄに含まれる文字情報の量、及び、画像情報に含まれる３次元表示情報の量の少なくともいずれかに応じた評価値を算出しても良い。制御部１５０は、この評価値に基づいて、第１動作及び第２動作のいずれかを選択的に実施しても良い。
【０１２３】
このように、ユーザがマウス等の入力Ｉ／Ｆで選択したウインドウが、３Ｄ表示されているか、２Ｄ表示されているか、に応じて、電圧のモードを選択する構成を示した。しかしながら、ユーザが選択したウインドウが３Ｄ表示であった場合であっても、例えば選択された３Ｄウインドウの大きさが小さい場合には第１動作ではなく、第２動作または第３動作を実行することが好ましい場合もある。その場合、重みづけより判定を行う。
【０１２４】
例えば、以下の評価値Ｅを用いる。  
Ｅ＝Ｄ(ウインドウサイズ)×α
評価値Ｅは、最大値が１となるような関数で求められる。Ｄ(ウインドウサイズ)は、選択されたウインドウが小さい程、値が小さくなる関数である。αは、３Ｄ表示が選択された場合にはα１であり、２Ｄ表示が選択された場合にはα１よりも小さいα２を取るような関数である。
【０１２５】
そして、例えば、第１しきい値Ｔｈ１と第２しきい値とを予め定める。  
Ｅ＞Ｔｈ１の場合は、第１動作（３Ｄ優先）を行う。  
Ｔｈ１≧Ｗ＞Ｔｈ２の場合は、第３動作（バランス）を行う。  
Ｔｈ２≧Ｅの場合は、第２動作（２Ｄ優先）を行う。
【０１２６】
一例として、ユーザが画面上のマウスでモード選択する際の重みについて、３Ｄ表示モードの重みを０．７５とし、２Ｄ表示モードの重みを０．２５とする。そして、一例として、３Ｄ表示ウインドウの面積が全体の２０％であり、２Ｄ表示ウインドウの面積が全体の８０％であるとする。このとき、  
３Ｄ表示モードの評価値は（０．７５＋０．２)／２＝０．４５、
２Ｄ表示モードの評価値は、（０．２５＋０．８）／２＝０．５５、
となる。
【０１２７】
例えば、評価値に対する判定基準として、０．３３及び０．６６を設定する。すなわち、
３Ｄ表示モード：０．６６＜Ｅ≦１、
２Ｄ／３Ｄ表示バランスモード：０．３３＜Ｅ≦０．６６、
２Ｄ表示モード：０＜Ｅ≦０．３３、
とする。  
この条件を用いると、上記の例では、２Ｄ／３Ｄ表示バランス電圧モードが選択される。
【０１２８】
上記の例では、ウインドウの面積に関連して評価値を算出する例について説明したが、ウインドウの画面内の位置に関連して評価値を算出しても良い。このように、制御部１５０は、３Ｄ領域の面積及び位置を含む特性値に応じた評価値と、第１モードの重みと、第２モードの重みと、に応じた評価値を算出し、その評価値と予め定められたしきい値との比較結果に応じて、複数の表示モードを選択しても良い。
【０１２９】
例えば、実施形態は、部分的に２Ｄ表示と３Ｄ表示とが切り変えられる裸眼２Ｄ／３Ｄ切替ディスプレイにおいて、３Ｄ表示コンテンツの状態に応じて、３Ｄ表示と２Ｄ表示との重みを算出する手段と、前記算出された値により、ディスプレイ上に設けられる光線制御素子の３Ｄ表示部領域に印加する第１電圧分布と、前記光線制御素子の２Ｄ表示部領域に印加する第２電圧分布と、を決定し、前記第１電圧分布及び前記第２電圧分布に対応する電圧を前記２Ｄ表示部領域及び前記３Ｄ表示部領域に印加する手段と、を有しても良い。
【０１３０】
実施形態において、第１動作及び第２動作の選択を行わない場合があっても良い。以下、このような例について説明する。  
図１５（ａ）〜（ｄ）は、第１の実施形態に係る画像表示装置の動作を例示する模式的平面図である。  
図１５（ａ）の例においては、画像表示部４００の画面４００ｄの全体が、３Ｄ画像である。この場合には、選択動作を実施せずに、例えば、第１条件Ｃｖ１を採用する。すなわち、第１動作を実施する。
【０１３１】
図１５（ｂ）の例においては、画像表示部４００の画面４００ｄの全体が、２Ｄ画像である。この場合には、選択動作を実施せずに、例えば、光学部１０５の第１電極１１の電位を対向電極２１の電位と同じにする（例えば０ｖ）。
【０１３２】
図１５（ｃ）の例においては、３Ｄ画像の領域が、画面４００ｄの上下の全体に延在している。この場合には、クロストークは生じない。この場合には、複数の対向電極２１の電位を同じにでき、３Ｄ画像に対応する第１グループＧ１の電位と、２Ｄ画像に対応する第２グループＧ２の電位と、を互いに変える。例えば、第１条件Ｃｖ１を採用する。すなわち、第１動作を実施する。これにより、３Ｄ画像に適した屈折率分布と、２Ｄ画像に適して屈折率特性と、が得られる。
【０１３３】
図１５（ｄ）の例においては、３Ｄ画像の領域が、画面４００ｄの左右の全体に延在している。この場合も、クロストークが生じない。この場合も、例えば、第１条件Ｃｖ１を採用する。すなわち、第１動作を実施する。
【０１３４】
例えば、第１表示領域Ｑ１が第１辺ｓ１及び第２辺ｓ２と接するとき、または、第２表示領域Ｑ２が第１辺ｓ１及び第２辺ｓ２と接するときは、制御部１５０は、第１動作を実施する。例えば、第１表示領域Ｑ１が第３辺ｓ３及び第４辺ｓ４と接するとき、または、第２表示領域Ｑ２が第３辺ｓ３及び第４辺ｓ４と接するときは、制御部１５０は、第１動作を実施する。
【０１３５】
図１６は、第１の実施形態に係る別の画像表示装置作を例示する模式的断面図である。
図１６に示すように、液晶光学装置１１１（画像表示装置５１１）においては、第１基板部１０ｕに、複数の第２電極１２がさらに設けられている。これ以外は、液晶光学装置１１０と同様である。
【０１３６】
複数の第２電極１２は、第１基板１０ｓと液晶層３０との間に設けられる。複数の第２電極１２のそれぞれは、複数の第１電極１１のそれぞれの間に配置される。
【０１３７】
制御部１５０は、例えば、第１動作において、複数の第２電極１２の少なくともいずれかと第１対向電極２１ａとの間の電位差の絶対値（第２電極１２の電位差の絶対値）を小さくする。例えば、この絶対値を、０Ｖにする。
【０１３８】
第１電極１１に対応する位置は、例えば、レンズ端に対応する。複数の第１電極１１どうしの間の領域は、例えば、レンズ中心に対応する。レンズ中心に対応する位置に、第２電極１２を設け、この位置の液晶層に印加される電位差を、レンズ端に比べて小さくする。これにより、形成される屈折率分布の特性が制御し易くなる。
【０１３９】
制御部１５０は、第２電極１２の電位差の絶対値は、第１絶対値（複数の第１電極１１と第１対向電極２１ａとの間の電位差の絶対値）よりも小さくしても良い。
【０１４０】
（第２の実施形態）  
本実施形態の液晶光学装置１１０及び１１１、並びに、それらの変形の液晶光学装置のいずれか１つと、画像表示部４００と、を含む。変形の液晶光学装置としては、液晶層内の屈折率分布を印加する電圧によって制御することができる構成であればよい。液晶光学装置１１０及び液晶光学装置１１１の電極構成や印加電圧に限られず実現可能である。本実施形態によれば、良好な光学特性の液晶光学装置を用いることで、高表示品位の画像表示装置を提供できる。
【０１４１】
（第３の実施形態）  
本実施形態は、液晶光学装置を制御する制御装置に係る。液晶光学装置には、第１の実施形態に係る液晶光学装置及びその変形が用いられる。液晶光学装置は、上記の光学部１０５を有する。本実施形態に係る制御装置は、上記の制御部１５０に対応する。
【０１４２】
光学部１０５は、第１基板部１０ｕと第２基板部２０ｕと液晶層３０とを含む。制御装置は、第１基板部１０ｕの複数の第１電極１１、第２基板部２０ｕの第１対向電極２１ａ及び第２対向電極２１ｂと電気的に接続される。
【０１４３】
制御装置は、光学部１０５と積層され画像光を出射する画像表示部４００に入力される画像情報Ｉｄ、及び、取得した制御信号Ｓｃの少なくともいずれかに基づいて、上記の第１動作及び第２動作のいずれかを選択的に実施することを含む選択動作を実施する。  
本実施形態によれば、良好な光学特性の液晶光学装置の制御装置が提供できる。
【０１４４】
実施形態によれば、良好な光学特性の液晶光学装置、液晶光学装置の制御装置、及び、画像表示装置が提供できる。
【０１４５】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１４６】
以上、具体例を参照しつつ、本発明の実施の形態について説明した。しかし、本発明は、これらの具体例に限定されるものではない。例えば、液晶光学装置及び画像表示装置に含まれる光学部、基板部、基板、電極、液晶層、制御部及び画像表示部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１４７】
その他、本発明の実施の形態として上述した液晶光学装置、液晶光学装置の制御装置、及び、画像表示装置を基にして、当業者が適宜設計変更して実施し得る全ての液晶光学装置、液晶光学装置の制御装置、及び、画像表示装置も、本発明の要旨を包含する限り、本発明の範囲に属する。
【０１４８】
その他、本発明の思想の範疇において、当業者であれば、各種の変更例及び修正例に想到し得るものであり、それら変更例及び修正例についても本発明の範囲に属するものと了解される。
【０１４９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５０】
１０ａ…第１面、  １０ｄ…光制御回路、  １０ｓ…第１基板、  １０ｕ…第１基板部、  １１…第１電極、  １２…第２電極、  ２０ｓ…第２基板、  ２０ｕ…第２基板部、  ２１…対向基板、  ２１ａ、２１ｂ…第１、第２対向基板、  ３０…液晶層、  ３０ａ、３０ｂ…第１、第２液晶領域、  ３１…液晶、  ΔＶｅ１〜ΔＶｅ３…差、  Δｎｅｆｆ、Δｎｅｆｆ１ａ、Δｎｅｆｆ１ｂ、Δｎｅｆｆ２ａ、Δｎｅｆｆ２ｂ、Δｎｅｆｆ３ａ、Δｎｅｆｆ３ｂ…差、  θ…チルト角、  １０３…電圧生成部、  １０３ａ〜１０３ｄ…第１〜第４電圧生成部、  １０３ｓ…スイッチ回路、  １０５…光学部、  １０５ｄ…光制御領域、  １０６…回路部、  １０７ａ、１０７ｂ…第１、第２回路部、  １１０、１１１…液晶光学装置、  １５０…制御部（制御装置）、  １５１…処理部、  １５１ａ…情報取得部、  １５１ｂ…領域判定部、  １５１ｃ…フラグ付与部、  １５１ｄ…評価値算出部、  １５１ｅ…電圧決定部、  １５２…入力部、  １５３…電源部、  ２０１ａ〜２０１ｄ…領域、  ４００…画像表示部、  ４００Ｌ…画像光、  ４００ａ…矢印、  ４００ｃ…中心、  ４００ｄ…画面、  ４０１…画素、  ４５０…画像表示駆動部、  ５１０、５１１…画像表示装置、  Ｃｖ１〜Ｃｖ３…第１〜第３条件、  Ｄ１、Ｄ２…第１、第２方向、  Ｄａ１、Ｄａ２…第１、第２直交方向、  Ｇ１、Ｇ２…第１、第２グループ、  Ｉｄ…画像情報、  Ｐｘ１、Ｐｘ２…第１、第２位置、  Ｐｘｃ…中心位置、  Ｑ１、Ｑ２…第１、第２表示領域、  Ｑｃ１、Ｑｃ２…第１、第２コンテンツ、  Ｒ１、Ｒ２…第１、第２領域、  Ｓｃ…制御信号、  Ｖｃｈ 高コモン電圧、  Ｖｃｈ１〜Ｖｃｈ４…第１〜第４対向高電位、  Ｖｃｌ…低コモン電圧、  Ｖｃｌ１〜Ｖｃｌ４…第１〜第４対向低電位、  Ｖｅｈ…高電圧、  Ｖｅｈ１〜Ｖｅｈ４…第１〜第４電極高電位、  Ｖｅｌ…低電圧、  Ｖｅｌ１〜Ｖｅｌ４…第１〜第４電極低電位、  ｎｅｆｆ…屈折率、  ｎｅｆｆ１ａ、ｎｅｆｆ２ａ、ｎｅｆｆ３ａ…第１、第２、第３大屈折率分布、  ｎｅｆｆ１ｂ、ｎｅｆｆ２ｂ、ｎｅｆｆ３ｂ…第１、第２、第３小屈折率分布、  ｑ１〜ｑ４…第１〜第４部分、  ｒ１〜ｒ４…第１〜第４部分、  ｓ１〜ｓ４…第１〜第４辺
【図１】
2016057584.tif 000003
【図２】
2016057584.tif 000004
【図３】
2016057584.tif 000005
【図４】
2016057584.tif 000006
【図５】
2016057584.tif 000007
【図６】
2016057584.tif 000008
【図７】
2016057584.tif 000009
【図８】
2016057584.tif 000010
【図９】
2016057584.tif 000011
【図１０】
2016057584.tif 000012
【図１１】
2016057584.tif 000013
【図１２】
2016057584.tif 000014
【図１３】
2016057584.tif 000015
【図１４】
2016057584.tif 000016
【図１５】
2016057584.tif 000017
【図１６】
2016057584.tif 000018